(57)【特許請求の範囲】
【請求項１】
キャップを開ける予備力を持つ被せプレス開け型保存装置であって、粒状、粉状、ゲル状態又は液状可溶性凝固状態の内容物を保存する円筒形、円筒形近似又は多面円筒形の中空容器の新型であり、外部構造の周辺は特定容器の口部へ詰め込み可能に設計され、前記外部構造の周辺は突き出し部分を前記口部の周りに被せられ、
前記中空容器の前記外部構造の外部から加圧されてキャップを開ける力受け面、及び前記内容物の釈放口は、それぞれ前記中空容器の前記外部構造の軸の両端に設けられ、
前記キャップは、前記内容物の前記釈放口と繋がり、前記特定容器の前記口部へ詰め込むときに、一端の前記力受け面から加圧されることで、もう一端の前記キャップが開き、前記内容物を釈放し、
前記キャップと前記外部構造とが離れないために、前記キャップと前記中空容器の前記外部構造との間にたわみ性シール構造があり、前記キャップと前記外部構造とが相対的に安定関係を持つことは、すなわち前記キャップが前記保存装置に対して封鎖状態にあるときに、両者を維持するシール構造が曲げられ、開く方向への予備状態になり、前記キャップが圧されて開いた後、前記キャップを開いた安定状態にさせることのできることであり、その主な構造は、
前記外部構造（１０１）は、プラスチック或いは金属で作られた円筒形、円筒形近似又は多面円筒形の前記中空容器であり、粒状、粉状、ゲル状態、液状或いは可溶性の凝固状態の前記内容物（１０７）が入り、前記中空容器の前記外部構造（１０１）の周辺は前記特定容器（２００）の前記口部（２０１）へ詰め込まれ、前記外部構造（１０１）の周辺の突き出しは前記容器の前記口部の周りに被せられ、前記中空容器の前記外部構造（１０１）の軸方向の下に前記釈放口（１０５）があり、前記釈放口（１０５）と前記キャップ（１０２）とが繋がるときに閉鎖状態になり、前記キャップ（１０２）が開くと、前記内容物（１０７）が釈放され、前記中空容器の前記外部構造は前記たわみ性シール構造（１０３）と繋がることにより、前記キャップ（１０２）が常態のとき、前記キャップ（１０２）を開いた状態に維持し、前記釈放口（１０５）と繋がるときに、開く方向に予備力状態になり、前記中空容器の前記外部構造は軸方向の上に力受け構造（１０４）を設けることが可能であり、それは外部圧力を加えられるときに、前記キャップ（１０２）を加圧して開けて、前記内容物が釈放され、
前記キャップ（１０２）は、前記外部構造（１０１）下の前記釈放口（１０５）と対応するために設置され、両者は結合する閉鎖状態になり、前記力受け構造（１０４）が外部の圧力を受けるときに、前記キャップ（１０２）が圧力を受けて前記釈放口（１０５）から離れて前記内容物を釈放し、前記キャップ（１０２）と前記外部構造（１０１）との閉鎖結合方式は詰め込んで入ること、嵌めること、かぶせること、くっつくこと、融合すること、又は、付属部品により挟むことで閉鎖結合し、
上記のように前記キャップ（１０２）と前記外部構造（１０１）との前記釈放口（１０５）が閉鎖結合する定義については、全閉鎖状態又は半閉鎖状態を含み、前記外部構造（１０１）に充填する前記内容物の性質か保存の必要によるものであり、
前記たわみ性シール構造（１０３）は、たわみ性を持つもので、構成するシール状たわみ維持構造であり、前記外部構造（１０１）と前記キャップ（１０２）との間に連結し、前記外部構造（１０１）と前記キャップ（１０２）とが繋がる状態は前記キャップ（１０２）が前記外部構造（１０１）下の前記釈放口（１０５）に結合することにより、前記容器の前記外部構造（１０１）が閉鎖状態になるとき、前記たわみ性シール構造（１０３）が曲がる状態になり、外へ開くという予備力状態になり、前記キャップ（１０２）が前記外部構造（１０１）から離れるとき、前記たわみ性シール構造（１０３）のたわみ性予備力が前記キャップ（１０２）を開けることに協力し、前記外部構造（１０１）下の前記釈放口（１０５）が開いた安定状態になることにより、前記内容物（１０７）の釈放に有利になり、前記キャップ（１０２）を前記たわみ性シール構造（１０３）により前記外部構造（１０１）に維持して落ちないようにし、
前記力受け構造（１０４）は内部の推進構造（１０６）により構成され、前記外部構造（１０１）より柔らかいたわみ性材料で構成した前記力受け構造（１０４）により前記外部構造（１０１）の上部に結合し、前記力受け構造（１０４）が前記外部構造（１０１）の内部に結合して前記キャップ（１０２）の方向に向き、前記推進構造（１０６）を伸ばし、前記力受け構造（１０４）が圧力を受けるとき、前記推進構造（１０６）が前記キャップ（１０２）に推進し、前記外部構造（１０１）の前記釈放口（１０５）に結合した前記キャップ（１０２）をタッチして動かす機能があり、前記キャップ（１０２）は前記キャップ（１０２）と前記外部構造（１０１）とを維持する前記たわみ性シール構造（１０３）の予備力により開くことが可能であり、圧力が消えてから、前記キャップ（１０２）を開いた状態に維持し、前記外部構造（１０１）の内部に充填する前記内容物（１０７）の釈放をするものであり、
前記特定容器（２００）の前記口部（２０１）に瓶のキャップ（１１０）が設けられており、前記瓶のキャップ（１１０）が前記力受け構造（１０４）と別体に形成されており、前記瓶のキャップ（１１０）に前記特定容器（２００）の前記口部（２０１）の外側の外螺旋（２０２）と螺合可能な内螺旋（１１１）が形成されており、前記力受け構造（１０４）が推進構造（１０６）によって構成され、前記外部構造（１０１）より柔らかいたわみ性材料で作られて前記外部構造（１０１）の上に繋がって、前記力受け構造（１０４）の推進構造（１０６）が前記キャップ（１０２）側に向いて延伸し、前記推進構造（１０６）をもって回し合って前記力受け構造（１０４）に対して緊迫させるときに、延伸の前記推進構造（１０６）が前記キャップ（１０２）へ押されて、タッチして前記外部構造（１０１）の前記釈放口（１０５）に繋がる前記キャップ（１０２）を押し、前記キャップ（１０２）を前記キャップ（１０２）と前記外部構造（１０１）とを維持する前記たわみ性シール構造（１０３）の予備力により開け、圧力が消えてから、前記キャップ（１０２）は前記特定容器（２００）の前記外部構造（１０１）の内部の前記内容物（１０７）を釈放し、前記たわみ性シール構造（１０３）の予備力により前記キャップ（１０２）を開いた状態に維持して落ちないようにし、前記特定容器（２００）は前記内容物を入れていないものであっても、又は、特定の前記内容物を入れてあるものであってもよく、このとき、前記外部構造の周りに突き出しの環状ストッパー又は直径方向へ突き出しているブロック状ストッパー（１０９）が設けられて、前記ストッパーの外部直径が前記特定容器（２００）の前記口部（２０１）の内部直径よりやや大きく、前記瓶のキャップ（１１０）の内部直径よりやや小さく、前記外部構造（１０１）に入れる前記特定容器（２００）の前記口部（２０１）の深さを制限して、圧力を受けるときの制限構造を構成し、前記外部構造（１０１）の上端の前記力受け構造（１０４）の外部直径が前記瓶のキャップ（１１０）の内部直径よりやや小さく、前記瓶のキャップ（１１０）が前記特定容器（２００）の前記口部（２０１）に回し込まれることにより前記力受け構造（１０４）を介して前記推進構造（１０６）を間接に押圧することを特徴とするキャップを開ける予備力を持つ被せプレス開け型保存装置。
【請求項２】
キャップを開ける予備力を持つ被せプレス開け型保存装置であって、前記外部構造（１０１）、前記キャップ（１０２）及び前記たわみ性シール構造（１０３）の構造関係は、
１．前記たわみ性シール構造（１０３）と前記キャップ（１０２）と前記外部構造（１０１）とは同じ材料を使って一体になるものあり、又は、
２．前記キャップ（１０２）と前記たわみ性シール構造（１０３）とは同じ材料を使って一体になるものであり、また、同じ材料で構成された前記外部構造（１０１）と結合させるものであり、又は、
３．前記キャップ（１０２）と前記たわみ性シール構造（１０３）とは同じ材料を使って一体になるものであり、また、異なる材料で構成された前記外部構造（１０１）と結合させるものであり、又は、
４．前記外部構造（１０１）と前記たわみ性シール構造（１０３）とは同じ材料を使って一体になるものであり、また、同じ材料で構成された前記キャップ（１０２）と結合させるものであり、又は、
５．前記外部構造（１０１）と前記たわみ性シール構造（１０３）とは同じ材料を使って一体になるものであり、また、異なる材料で構成された前記キャップ（１０２）と結合させるものであり、又は、
６．前記外部構造（１０１）と前記キャップ（１０２）と前記たわみ性シール構造（１０３）とは同じ材料を使い、それぞれに作られてから結合するものであり、又は、
７．前記外部構造（１０１）と前記キャップ（１０２）と前記たわみ性シール構造（１０３）とは異なる材料を使い、それぞれに作られてから結合するものであることを特徴とする請求項１記載のキャップを開ける予備力を持つ被せプレス開け型保存装置。
【請求項３】
キャップを開ける予備力を持つ被せプレス開け型保存装置であり、前記外部構造（１０１）と前記キャップ（１０２）との結合する方式及び前記キャップ（１０２）と前記たわみ性シール構造（１０３）との結合する方式は、融合すること、くっつくこと、リベットで締めること、機関属性の嵌めること、かぶせること、付属部品で合わせること又は縫い合わせることにより結合する方式を含むことを特徴とする請求項２記載のキャップを開ける予備力を持つ被せプレス開け型保存装置。
【請求項４】
キャップを開ける予備力を持つ被せプレス開け型保存装置であり、前記力受け構造（１０４）の前記力受け面は前記外部構造（１０１）より柔らかいたわみ性材料で構成した前記力受け構造で前記外部構造（１０１）と結合するものであり、或いは、前記外部構造（１０１）と同じ材質の材料で構成され、薄いたわみ性構造で構成された前記力受け構造（１０４）で前記外部構造（１０１）と結合するものであり、又は、たわみ性のある構造形状で前記力受け構造（１０４）に形成され、前記外部構造（１０１）と結合するものであり、又は、前記力受け構造（１０４）が前記外部構造（１０１）と同じ材質の材料で構成されるものであり、それらは前記外部構造（１０１）と同じ材料で一体に作られ、或いは、それぞれ製造されてから結合させるものであり、或いは、異なる材質で製造されてから結合させるものであることを特徴とする請求項１記載のキャップを開ける予備力を持つ被せプレス開け型保存装置。
【請求項５】
キャップを開ける予備力を持つ被せプレス開け型保存装置であり、前記力受け構造（１０４）と前記外部構造（１０１）とは同じ材質或いは異なる材質により構成されることが可能であり、それは、
１．前記力受け構造（１０４）と前記外部構造（１０１）とは同じ材料で一体に構成され、或いは、
２．前記力受け構造（１０４）と前記外部構造（１０１）とは同じ材料で別々に製造されてから結合したものであり、或いは、
３．前記力受け構造（１０４）と前記外部構造（１０１）とは異なる材料で作られてから結合したものであることを特徴とする請求項４又は請求項５記載のキャップを開ける予備力を持つ被せプレス開け型保存装置。
【請求項６】
キャップを開ける予備力を持つ被せプレス開け型保存装置であり、前記力受け構造（１０４）は常用のピストン式構造で構成可能であり、推進式のピストン構造（１０８）を設け、前記ピストン構造（１０８）が力を受けて推進するときに、前記外部構造（１０１）に充填された粒状、粉状、ゲル状態又は液状の前記内容物（１０７）へ圧力を加えることにより、前記キャップ（１０２）は開き、前記たわみ性シール構造（１０３）の予備力により前記キャップ（１０２）を開いた状態に維持して落ちないようにすることを特徴とする請求項１記載のキャップを開ける予備力を持つ被せプレス開け型保存装置。
【請求項７】
キャップを開ける予備力を持つ被せプレス開け型保存装置であり、前記力受け構造（１０４）は慣用のピストン式構造により構成可能であり、推進式のピストン構造（１０８）を設ける以外に、前記ピストン構造（１０８）の前記キャップ（１０２）を迎える方向に沿って推進構造（１０６）を設け、前記ピストン構造（１０８）が力を受けて推進するとき、前記推進構造（１０６）が前記キャップ（１０２）を動かし、前記たわみ性シール構造（１０３）の予備力により前記キャップ（１０２）を開いた状態に維持して落ちないようにすることを特徴とする請求項１記載のキャップを開ける予備力を持つ被せプレス開け型保存装置。
【請求項８】
キャップを開ける予備力を持つ被せプレス開け型保存装置であり、前記特定容器（２００）の前記口部（２０１）に詰め込むことが可能であり、前記外部構造の内部に液状、泥状又は糊状の前記内容物（１０７）を充填して、人の手、外力、機械構造の機械力、気圧力又は液圧力によって前記力受け構造（１０４）に圧力を加えるとき、前記力受け構造（１０４）は加圧されて変形するときに生まれた内部圧力で前記キャップ（１０２）を開け、前記キャップ（１０２）は前記キャップ（１０２）と前記外部構造（１０１）とを維持する前記たわみ性シール構造（１０３）の予備力により開き、圧力が消えてから、前記キャップ（１０２）は前記特定容器（２００）の前記外部構造（１０１）の内部の前記内容物（１０７）を釈放し、前記たわみ性シール構造（１０３）の予備力により前記キャップ（１０２）を開いた状態に維持して落ちないようにし、この応用のときにおいて、前記外部構造（１０１）の外部直径が前記特定容器（２００）の前記口部（２０１）に入れることに提供可能であり、適当な公差をもって、前記外部構造（１０１）の周りに突き出しの環状ストッパー又は直径方向へ突き出しているブロック状ストッパー（１０９）が設けられて、前記外部構造（１０１）が前記特定容器（２００）の前記口部（２０１）に入る深さがブロック状ストッパー（１０９）により制限され、圧力を受けるときの制限構造を構成するものであり、前記特定容器（２００）は前記内容物を入れていないものであっても、又は、前記内容物が入れてあるものであってもよいことを特徴とする請求項１記載のキャップを開ける予備力を持つ被せプレス開け型保存装置。
【請求項９】
キャップを開ける予備力を持つ被せプレス開け型保存装置であり、前記特定容器（２００）の前記口部（２０１）に詰め込むことが可能であり、前記外部構造の内部に粒状、粉状、液状、泥状又は糊状の前記内容物（１０７）を充填して、前記力受け構造（１０４）が推進構造（１０６）によって構成されて、前記外部構造（１０１）より柔らかいたわみ性材料で作られて前記外部構造（１０１）の上に繋がって、前記力受け構造（１０４）が前記外部構造（１０１）の内部の前記キャップ（１０２）向き方向に繋がって、延伸の前記推進構造（１０６）をもって、人の手、外力、機械構造の機械力、気圧力又は液圧力によって前記力受け構造（１０４）に圧力を加えるとき、前記推進構造（１０６）が前記キャップ（１０２）へ押されて、タッチして前記外部構造（１０１）の前記釈放口（１０５）に繋がっている前記キャップ（１０２）を押し、前記キャップ（１０２）は前記キャップ（１０２）と前記外部構造（１０１）とを繋げる前記たわみ性シール構造（１０３）の予備力によって開けられて、圧力が消えるときに、前記キャップ（１０２）を安定した開いた状態に維持可能であり、前記特定容器（２００）の前記外部構造（１０１）の内部の前記内容物（１０７）を釈放し、前記たわみ性シール構造（１０３）の予備力によって前記キャップ（１０２）を開いた状態に維持して落ちないようにし、この応用のときにおいて、前記外部構造（１０１）の外部直径が前記特定容器（２００）の前記口部（２０１）に入れることに提供可能であり、適当な公差をもって、前記外部構造（１０１）の周りに突き出しの環状ストッパー又は直径方向へ突き出しているブロック状ストッパー（１０９）が設けられて、前記外部構造（１０１）が前記特定容器（２００）の前記口部（２０１）に入る深さがブロック状ストッパー（１０９）により制限され、圧力を受けるときの制限構造を構成し、前記特定容器（２００）は前記内容物を入れていないものであっても、又は、特定の前記内容物を入れてあるものであってもよいことを特徴とする請求項１記載のキャップを開ける予備力を持つ被せプレス開け型保存装置。
【請求項１０】
キャップを開ける予備力を持つ被せプレス開け型保存装置であり、前記特定容器（２００）の前記口部（２０１）に詰め込むことが可能であり、前記外部構造の内部に液状か泥状か糊状の前記内容物（１０７）を充填して、前記特定容器（２００）の前記口部（２０１）に瓶のキャップ（１１０）が設けてあり、それが内螺旋（１１１）をもって前記特定容器（２００）の前記口部（２０１）の外側の外螺旋（２０２）と回し合うことが可能であり、前記外部構造の内部に液状又は泥状の前記内容物が充填されて回し合って前記力受け構造（１０４）に対して緊迫させて、前記力受け構造（１０４）が圧力を受けて変形するときに産生した内部圧力で前記キャップ（１０２）を開け、前記キャップ（１０２）を前記キャップ（１０２）と前記外部構造（１０１）とを維持する前記たわみ性シール構造（１０３）の予備力により開け、圧力が消えてから、前記キャップ（１０２）は前記特定容器（２００）の前記外部構造（１０１）の内部の前記内容物（１０７）を釈放し、前記たわみ性シール構造（１０３）の予備力により前記キャップ（１０２）を開いた状態に維持して落ちないようにし、前記特定容器（２００）は前記内容物を入れていないものであっても、又は、特定の前記内容物を入れてあるものだあってもよく、このときに、前記外部構造の周りに突き出しの環状ストッパー又は直径方向へ突き出しているブロック状ストッパー（１０９）が設けられて、前記ストッパーの外部直径が前記特定容器（２００）の前記口部（２０１）の内部直径よりやや大きく、前記瓶のキャップ（１１０）の内部直径よりやや小さく、前記外部構造（１０１）が前記特定容器（２００）の前記口部（２０１）に入る深さがブロック状ストッパー（１０９）により制限され、圧力を受けるときの制限構造を構成し、前記外部構造（１０１）の上端の前記力受け構造（１０４）の外部直径が前記瓶のキャップ（１１０）の内部直径よりやや小さく、前記瓶のキャップ（１１０）が前記特定容器（２００）の前記口部（２０１）へ回し込まれることになって緊迫することを特徴とする請求項１記載のキャップを開ける予備力を持つ被せプレス開け型保存装置。
【請求項１１】
キャップを開ける予備力を持つ被せプレス開け型保存装置であって、前記特定容器（２００）の前記口部（２０１）に詰め込むことに提供されて、前記特定容器（２００）の前記口部（２０１）には瓶のキャップ（１１０）をもって内部直径が前記特定容器（２００）の前記口部（２０１）の外部直径と緊密に結合可能であり、前記外部構造の内部に液状か泥状か糊状の前記内容物（１０７）を充填して緊密に結合するとき、前記力受け構造（１０４）に対して圧力を加えると、前記力受け構造（１０４）が変形して産生した内部圧力で前記キャップ（１０２）を開け、前記キャップ（１０２）を前記キャップ（１０２）と前記外部構造（１０１）とを維持する前記たわみ性シール構造（１０３）の予備力により開け、圧力が消えてから、前記キャップ（１０２）は前記特定容器（２００）の前記外部構造（１０１）の内部の前記内容物（１０７）を釈放し、前記たわみ性シール構造（１０３）の予備力により前記キャップ（１０２）を開いた状態に維持して落ちないようにし、前記特定容器（２００）は前記内容物を入れていないものであっても、又は、特定の前記内容物を入れてあるものであってもよく、このとき、前記外部構造の周りに突き出しの環状ストッパー又は直径方向へ突き出しているブロック状ストッパー（１０９）が設けられて、前記ストッパーの外部直径が前記特定容器（２００）の前記口部（２０１）の内部直径よりやや大きく、前記瓶のキャップ（１１０）の内部直径よりやや小さく、前記外部構造（１０１）が前記特定容器（２００）の前記口部（２０１）に入る深さがブロック状ストッパー（１０９）により制限され、圧力を受けるときの制限構造を構成し、前記外部構造（１０１）の上端の前記力受け構造（１０４）の外部直径が前記瓶のキャップ（１１０）の内部直径よりやや小さく、前記瓶のキャップ（１１０）が前記特定容器（２００）の前記口部（２０１）へ回し込まれて緊迫することを特徴とする請求項１記載のキャップを開ける予備力を持つ被せプレス開け型保存装置。
【請求項１２】
キャップを開ける予備力を持つ被せプレス開け型保存装置であり、前記特定容器（２００）の前記口部（２０１）に詰め込むことに提供されて、前記特定容器（２００）の前記口部（２０１）には瓶のキャップ（１１０）をもって内部直径が前記特定容器（２００）の前記口部（２０１）の外部直径と緊密に結合可能であり、前記外部構造の内部には粒状、粉状、液状、泥状又は糊状の前記内容物（１０７）を充填し、前記力受け構造（１０４）が推進構造（１０６）によって構成されて、前記外部構造（１０１）より柔らかいたわみ性材料で作られて前記外部構造（１０１）の上に繋がって、前記力受け構造（１０４）が前記外部構造（１０１）の内部の前記キャップ（１０２）向き方向に繋がって、延伸の前記推進構造（１０６）をもって緊密に結合するときに、前記力受け構造（１０４）に対して緊迫させ、延伸の前記推進構造（１０６）が前記キャップ（１０２）へ押されて、タッチして前記外部構造（１０１）の前記釈放口（１０５）に繋がる前記キャップ（１０２）を押し、前記キャップ（１０２）を前記キャップ（１０２）と前記外部構造（１０１）とを維持する前記たわみ性シール構造（１０３）の予備力により開け、圧力が消えてから、前記キャップ（１０２）は前記特定容器（２００）の前記外部構造（１０１）の内部の前記内容物（１０７）を釈放することに提供されて、前記たわみ性シール構造（１０３）の予備力により前記キャップ（１０２）を開いた状態に維持して落ちないようにし、前記特定容器（２００）は前記内容物を入れていないもので、又は、特定の前記内容物を入れてあるものでも可であり、この応用のときに、前記外部構造の周りに突き出しの環状ストッパー又は直径方向へ突き出しているブロック状ストッパー（１０９）が設けられて、前記ストッパーの外部直径が前記特定容器（２００）の前記口部（２０１）の内部直径よりやや大きく、前記瓶のキャップ（１１０）の内部直径よりやや小さく、前記外部構造（１０１）が前記特定容器（２００）の前記口部（２０１）に入る深さがブロック状ストッパー（１０９）により制限され、圧力を受けるときの制限構造を構成するものであり、前記外部構造（１０１）の上端の前記力受け構造（１０４）の外部直径が前記瓶のキャップ（１１０）の内部直径よりやや小さく、前記瓶のキャップ（１１０）が前記特定容器（２００）の前記口部（２０１）へ回し込まれて緊迫することを特徴とする請求項１記載のキャップを開ける予備力を持つ被せプレス開け型保存装置。
【請求項１３】
キャップを開ける予備力を持つ被せプレス開け型保存装置であり、力受け構造なしの保存装置でも可能であり、粒状、粉状、ゲル状態、液状又は可溶性凝固状態の内容物が入る円筒形、円筒形近似又は多面円筒形の中空容器であり、円筒形の外部構造の周辺は特定容器の口部に詰め込むことに提供されて、前記外部構造の周辺の突き出しは前記容器の前記口部の周りに被せることに提供されて、前記中空容器の前記外部構造の前記内容物の釈放口の位置は円筒型の前記中空容器の前記外部構造の軸方向の一端に設置されて、キャップが前記内容物の前記釈放口と繋がるように提供されて、人の手で前記キャップを開けることに提供されて、前記特定容器の前記口部に入れるときに、直接に前記内容物を前記特定容器に注ぎ込むことに供されて、或いは、前記特定容器の内部の液体又は気体によって前記中空容器の内部の可溶性の凝固状態の前記内容物を溶かすものであり、開いた状態の前記キャップと外部とが離れないために、前記キャップと保存装置との間にたわみ性シール構造があり、前記キャップと外部とが相対的に安定関係を持つことは、前記キャップが前記保存装置に対して封鎖状態にあるときに、両者を維持するシール構造が曲げられ、開く方向への予備状態になり、前記キャップが圧されて開いた後、前記キャップを開いた安定状態にさせることが可能であり、前記中空容器の前記外部構造の内部の前記内容物の釈放を妨害しないように前記キャップは開く予備力を持って、前記力受け構造を設けない前記保存装置であり、その主な構成は、
前記外部構造（１０１）は、プラスチック或いは金属で作られた円筒形、円筒形近似又は多面円筒形の前記中空容器であり、粒状、粉状、ゲル状態、液状又は可溶性凝固状態の前記内容物（１０７）が入り、前記中空容器の前記外部構造（１０１）の周辺は前記特定容器（２００）の前記口部（２０１）へ詰め込むことに設計されて、前記外部構造（１０１）の周辺は突き出し部分をもって前記口部の周りに被せて、前記中空容器の前記外部構造（１０１）の軸方向の一側には前記釈放口（１０５）があって、前記釈放口（１０５）と前記キャップ（１０２）が繋がるときに閉鎖状態になり、前記キャップ（１０２）が開くと、前記内容物（１０７）が釈放され、前記中空容器の前記外部構造は前記たわみ性シール構造（１０３）と繋がることにより、前記キャップ（１０２）を開いた状態に維持し、前記釈放口（１０５）と繋がるときに、開く方向に予備力状態になるものであり、前記外部構造（１０１）には前記力受け構造（１０４）を設けず、前記釈放口（１０５）が前記キャップ（１０２）を設置するためにあり、人の手で前記キャップ（１０２）を開け、
前記キャップ（１０２）は、キャップ構造になり、前記外部構造（１０１）下の前記釈放口（１０５）と対応するために設置され、両者は結合する閉鎖状態になり、手で前記キャップを開けて前記力受け面に圧力を加えて前記内容物を釈放するものであり、或いは、直接に前記内容物を出させるものであり、或いは、前記特定容器の内部の液体又は気体によって前記中空容器の前記外部構造の内部の可溶性の凝固状態の前記内容物を溶かすものであり、前記キャップ（１０２）と前記外部構造（１０１）との閉鎖結合方式は詰め込んで入ること、嵌めること、かぶせること、くっつくこと、融合することなどがあり、又は、付属部品により挟むことで閉鎖結合し、
上記のように前記キャップ（１０２）と前記外部構造（１０１）との前記釈放口（１０５）が閉鎖結合する定義については、全閉鎖状態又は半閉鎖状態を含み、前記外部構造（１０１）に充填する前記内容物の性質か保存の必要によるものであり、
前記たわみ性シール構造（１０３）は、たわみ性を持つもので構成するシール状たわみ維持構造であり、前記外部構造（１０１）と前記キャップ（１０２）との間に連結させ、その維持状態は、前記キャップ（１０２）が前記外部構造（１０１）下の前記釈放口（１０５）に結合することにより、前記容器の前記外部構造（１０１）が閉鎖状態になるとき、前記たわみ性シール構造（１０３）が曲がる状態になって外へ開くという予備力状態になることであり、前記キャップ（１０２）が前記外部構造（１０１）から離れるとき、前記たわみ性シール構造（１０３）のたわみ性予備力が前記キャップ（１０２）を開けることに協力し、前記外部構造（１０１）下の前記釈放口（１０５）が開いた安定状態になることにより、前記内容物（１０７）の釈放に有利になり、前記キャップ（１０２）を前記たわみ性シール構造（１０３）により前記外部構造（１０１）に維持して落ちないようにすることを特徴とする請求項１に記載のキャップを開ける予備力を持つ被せプレス開け型保存装置。
【請求項１４】
キャップを開ける予備力を持つ被せプレス開け型保存装置であり、前記外部構造（１０１）と前記キャップ（１０２）及び前記たわみ性シール構造（１０３）との構造上の関係は、
１．前記たわみ性シール構造（１０３）と前記キャップ（１０２）と前記外部構造（１０１）とは同じ材料を使って一体になるものであり、又は、
２．前記キャップ（１０２）と前記たわみ性シール構造（１０３）とは同じ材料を使って一体になるものであり、また、同じ材料で構成された前記外部構造（１０１）と結合させるものであり、又は、
３．前記キャップ（１０２）と前記たわみ性シール構造（１０３）とは同じ材料を使って一体になるものであり、また、異なる材料で構成された前記外部構造（１０１）と結合させるものであり、又は、
４．前記外部構造（１０１）と前記たわみ性シール構造（１０３）とは同じ材料を使って一体になるものであり、また、同じ材料で構成された前記キャップ（１０２）と結合させるものであり、又は、
５．前記外部構造（１０１）と前記たわみ性シール構造（１０３）とは同じ材料を使って一体になるものであり、また、異なる材料で構成された前記キャップ（１０２）と結合させるものであり、又は、
６．前記外部構造（１０１）と前記キャップ（１０２）と前記たわみ性シール構造（１０３）とは同じ材料を使い、それぞれに作られてから結合するものであり、又は、
７．前記外部構造（１０１）と前記キャップ（１０２）と前記たわみ性シール構造（１０３）とは異なる材料を使い、それぞれに作られてから結合するものであることを特徴とする請求項１３記載のキャップを開ける予備力を持つ被せプレス開け型保存装置。
【請求項１５】
キャップを開ける予備力を持つ被せプレス開け型保存装置であり、前記外部構造（１０１）と前記キャップ（１０２）との結合する方式及び前記キャップ（１０２）と前記たわみ性シール構造（１０３）との結合する方式は、融合すること、くっつくこと、リベットで締めること、機関属性の嵌めること、かぶせること、付属部品で合わせること又は縫い合わせることにより結合する方式を含むことを特徴とする請求項１３記載のキャップを開ける予備力を持つ被せプレス開け型保存装置。
【発明の詳細な説明】
【技術分野】
【０００１】
本発明は、一種のキャップを開ける予備力を持つ被せプレス開け型保存装置であり、粒状、粉状、ゲル状態、液状又は可溶性凝固状態の内容物が入る円筒形、円筒形近似又は多面円筒形の中空容器の新型構造である。
【背景技術】
【０００２】
従来の手持ち式又は機関で挟む式は、粒状、粉状、ゲル状態、液状又は可溶性の凝固状態の内容物が入り、通常は、キャップが独立する設置であり、少なくとも下記のような欠点がある。（１）開けてから容器とキャップは別々になり、回収が不便である。或いは、（２）加圧釈放方式は横から加圧すると、受ける面が広くて錯誤になる。或いは、（３）キャップが開いてから、外部構造との位置関係は不安定であり、内容物の釈放を妨害する。
【０００３】
さらに、従来のプレス開け型保存装置は、以下の三つの方式を含み、相対的な欠点がある。
１．加圧開け型キャップは圧力を受けてから保存装置と離れ、内容物が入る。
２．加圧開け型キャップは圧力を受けて開いてから離れて不完全になり、圧力が消えると、キャップは弾かれて元に戻り、内容物の釈放を妨害する。
３．加圧開け型キャップは外部から瞬間の圧力によって保存装置を変形させ、キャップが開くと、キャップの圧力を受ける部分が開き、圧力は釈放され、キャップが弾かれて元に戻る。
【発明の開示】
【発明が解決しようとする課題】
【０００４】
本発明の主な目的は、キャップを開ける予備力を持つ被せプレス開け型保存装置を提供することであり、粒状、粉状、ゲル状態、液状又は可溶性凝固状態の内容物が入る円筒形、円筒形近似又は多面円筒形の中空容器である。円筒形の外部構造周辺は、特定容器の口部に詰め込むことに提供され、外部構造周りに突き出しを持って、口部の周りに被せるために設置されている。外部構造に加圧してキャップを開ける力受け面及び内容物の釈放口の位置は、それぞれ円筒の中空容器の外部構造の軸の両端に設けられる。キャップは、内容物の釈放口と繋がり、特定容器の口部に被せるとき、一端の力受け面から加圧されることでもう一端のキャップを開け、内容物を釈放する。必要に応じて、手でもう一端のキャップを開け、力受け面から加圧し、内容物を釈放させ、或いは、直接に内容物を出す。或いは、手でキャップを開け、特定容器に入れてから、可溶性の凝固状態の内容物が特定容器内の液体又は気体と接触し、中空容器の外部構造内部の凝固状態の内容物が溶ける。開いた状態のキャップと外部構造とが離れないために、キャップと保存装置との間にたわみ性シール構造がある。キャップと外部構造とが相対的に安定関係をもつとは、キャップが保存装置に対して封鎖状態にあるとき、両者を維持するシール構造が曲げられ、開く方向への予備状態になり、キャップが圧されて開いた後、キャップを開いた安定状態にさせることができることである。中空容器の外部構造内部の内容物の釈放を妨害しないように、キャップを開けてから、外部構造と離れないように、釈放物を混ぜないようにし、回収にも有利である。
【課題を解決するための手段】
【０００５】
本発明は、キャップを開ける予備力を持つ被せプレス開け型保存装置であり、外部構造の周辺は特定の容器の口部へ詰め込むことに設計されて、外部構造の周辺は突き出し部分をもって口部の周りに被せる。外部構造軸方向の上端に力受け加圧構造を設け、外部構造軸方向の下端には釈放口があり、キャップと保存装置の片側には繋がるためのたわみ性シール状構造が設けられている。キャップが保存装置に対して閉鎖するとき、維持するシール状構造が曲げられ、開く方向への予備力状態になって、キャップが圧力を受けて開いたら、開いた状態を維持することを特徴とするものである。
【発明を実施するための最良の形態】
【０００６】
図１に示すのは本発明の一実施形態によるキャップの断面図である。
図１に示すものにおいて、その主な構造は、一種のキャップを備えた、開ける予備力を持つ被せプレス開け型保存装置である。
外部構造１０１は、プラスチック或いは金属で作られた円筒形、円筒形近似又は多面円筒形の中空容器である。粒状、粉状、ゲル状態、液状或いは可溶性の凝固状態の内容物１０７が入るためである。中空容器の外部構造１０１周辺は、特定容器２００の口部２０１へ詰め込むことに提供されて、外部構造１０１の周辺の突き出しは、容器の口部の周りに被せることに提供される。中空容器の外部構造１０１の軸方向の下に釈放口１０５があり、釈放口１０５とキャップ１０２とが繋がるときに閉鎖状態になる。キャップ１０２が開くと、内容物１０７が釈放される。中空容器の外部構造はたわみ性シール構造１０３と繋がることにより、キャップ１０２が常態のとき、キャップ１０２は開いた状態に維持され、釈放口１０５と繋がるとき、開く方向に予備力状態になる。中空容器の外部構造は、軸方向の上に必要に応じて力受け構造１０４を設けることができ、それは外部圧力を加えるとき、キャップ１０２が加圧されることで開き、内容物が釈放される。必要に応じて手でもう一端のキャップを開けることができ、又は、力受け面の加圧により内容物を出し、又は、直接に内容物を出すことが可能である。
【０００７】
キャップ１０２は、外部構造１０１下の釈放口１０５と対応して設置され、両者は結合する閉鎖状態になり、力受け構造１０４が外部の圧力を受けるとき、キャップ１０２が圧力を受け、釈放口１０５から離れ、内容物を釈放するものである。或いは、必要に応じ、手でもう一端のキャップを開け、力受け面に圧力を加えられることで内容物を釈放するものである。或いは、直接に内容物を出させるものである。キャップ１０２と外部構造１０１とが閉鎖する結合方式は、（１）詰め込むこと、（２）嵌めること、（３）かぶせること、（４）くっつくこと、（５）融合すること又は付属部品で挟むことにより閉鎖結合することである。
【０００８】
上記のようにキャップ１０２と外部構造１０１との釈放口１０５が閉鎖結合する定義については、全閉鎖状態又は半閉鎖状態を含み、外部構造１０１に充填する内容物の性質が保存された状態をいう。
たわみ性シール構造１０３は、たわみ性を持つもので構成するシール状たわみ維持構造であり、外部構造１０１とキャップ１０２との間に連結している。外部構造１０１とキャップ１０２とが繋がる状態とは、キャップ１０２が外部構造１０１下の釈放口１０５に結合することにより、容器の外部構造１０１が閉鎖状態になるとき、たわみ性シール構造１０３が曲がる状態になり、外へ開くという予備力状態になることであり、また、キャップ１０２が外部構造１０１から離れるとき、たわみ性シール構造１０３のたわみ性予備力がキャップ１０２を開けることに協力し、外部構造１０１下の釈放口１０５が開いた安定状態になることで、内容物１０７を釈放が可能になり、キャップ１０２がたわみ性シール構造１０３により外部構造１０１に維持されて落ちないようにすることである。
【０００９】
キャップを開ける予備力を持つ被せプレス開け型保存装置において、外部構造１０１とキャップ１０２及びたわみ性シール構造１０３との構造上の関係は下記の通りである。
１．たわみ性シール構造１０３とキャップ１０２と外部構造１０１とは、同じ材料を使って一体になるものである。
【００１０】
２．又は、キャップ１０２とたわみ性シール構造１０３とは、同じ材料を使って一体になるものである。また、同じ材料で構成された外部構造１０１と結合させるものである。
３．又は、キャップ１０２とたわみ性シール構造１０３とは、同じ材料を使って一体になるものである。また、異なる材料で構成された外部構造１０１と結合させるものである。
４．又は、外部構造１０１とたわみ性シール構造１０３とは、同じ材料を使って一体になるものである。また、同じ材料で構成されたキャップ１０２と結合させるものである。
【００１１】
５．又は、外部構造１０１とたわみ性シール構造１０３とは、同じ材料を使って一体になるものである。また、異なる材料で構成されたキャップ１０２と結合させるものである。
６．又は、外部構造１０１とキャップ１０２とたわみ性シール構造１０３とは、同じ材料を使い、それぞれに作られてから結合するものである。
７．又は、外部構造１０１とキャップ１０２とたわみ性シール構造１０３とは、異なる材料を使い、それぞれに作られてから結合するものである。
【００１２】
前記外部構造１０１とキャップ１０２との結合する方式及びキャップ１０２とたわみ性シール構造１０３との結合する方式は、融合すること、くっつくこと或いはリベットで締めること、機関属性の嵌めること、被せること、付属部品で合わせること又は縫い合わせることにより結合する方式を含む。
キャップを開ける予備力を持つ被せプレス開け型保存装置の力受け構造１０４は、必要に応じて下記のように配置することができる。
【００１３】
１．力受け構造１０４の力受け面は外部構造１０１より柔らかいたわみ性材料で構成した構造で外部構造１０１と結合するものであり、或いは、外部構造１０１と同じ材質の材料で構成され、薄いたわみ性のある構造で構成された構造１０４で外部構造１０１と結合するものである。又は、たわみ性のある構造形状で力受け構造１０４に形成され、外部構造１０１と結合するものである。又は、力受け構造１０４が外部構造１０１と同じ材質の材料で構成されるものである。それらは、外部構造１０１と同じ材料で一体に作られ、或いは、それぞれ製造されてから結合されるものであり、或いは、異なる材質で製造されてから結合されるものである。外部構造の内部に液状かゲル状の内容物１０７を充填する際に、力受け構造１０４が圧力を受けて変形するときに生まれた内部の圧力によりキャップ１０２を開け、キャップ１０２がキャップ１０２と外部構造１０１とを維持するたわみ性シール構造１０３の予備力により開く。圧力が消えてから、キャップ１０２を開いた状態に維持し、外部構造１０１内部に充填する内容物１０７を釈放するものである。図２に示すのは、図１の力受け構造を外部構造より柔らかいたわみ性材料で構成する状態を示す断面図である。図３に示すのは、図２の実施形態の外部構造の力受け構造が圧力を受けて内容物を釈放する状態を示す断面図である。
【００１４】
２．力受け構造１０４は内部推進構造１０６により構成され、外部構造１０１より柔らかいたわみ性材料で構成した力受け構造１０４により外部構造１０１上部に結合する。力受け構造１０４が外部構造１０１の内部に結合してキャップ１０２の方向に向き、推進構造１０６を伸ばす。力受け構造１０４が圧力を受けるときに、推進構造１０６がキャップ１０２に推進され、それをタッチして外部構造１０１の釈放口１０５に結合したキャップ１０２を動かす機能がある。キャップ１０２がキャップ１０２と外部構造１０１とを維持するたわみ性シール構造１０３の予備力により開くことができ、圧力が消えてから、キャップ１０２を開いた状態に維持し、外部構造１０１内部に充填する内容物１０７を釈放する。図４に示すのは、図２の力受け構造が外部構造に結合してキャップの方向に向き、伸ばし性のある推進構造を示す断面図である。図５に示すのは、図４の実施形態において、外部構造が力を受けて内容部を釈放する状態を示す断面図である。
【００１５】
上記のキャップ、開く予備力を持つ被せプレス開け型保存装置の力受け構造１０４と外部構造１０１とは、同じ材質又は異なる材質により構成でき、それは下記の通りである。
（１）力受け構造１０４と外部構造１０１とは、同じ材料で一体に構成されている。
（２）或いは、力受け構造１０４と外部構造１０１とは、同じ材料で別々に製造されてから結合したものである。
（３）或いは、力受け構造１０４と外部構造１０１とは、異なる材料で作られてから結合したものである。
【００１６】
３．力受け構造１０４は常用のピストン式構造で構成でき、推進式ピストン構造１０８を設ける。ピストン構造１０８が力を受けて推進するときに、外部構造１０１に充填された粒状、粉状、ゲル状態又は液状の内容物１０７へ圧力を加えることにより、キャップ１０２を開け、たわみ性シール構造１０３の予備力によりキャップ１０２を開いた状態に維持して落ちないようにする。図６に示すのは、図１の力受け構造がピストン式構造で構成された状態を示す断面図である。図７に示すのは、図６の実施形態において、外部構造の力受け構造が圧力を受けて内容物を釈放する状態を示す断面図である。
【００１７】
４．力受け構造１０４は慣用のピストン式構造により構成でき、推進式ピストン構造１０８を設け、ピストン構造１０８はキャップ１０２を迎える方向に沿って推進構造１０６を設ける。ピストン構造１０８が力を受けて推進するとき、推進構造１０６がキャップ１０２を動かし、たわみ性シール構造１０３の予備力によりキャップ１０２を開いた状態に維持して落ちないようにする。図８は、図６の力受け構造が外部構造の内部において、キャップの方向に結合して推動構造を伸ばす状態を示す断面図である。図９は、図８の実施形態において、外部構造の力受け構造が圧力を受けて内容物を釈放する状態を示す断面図である。
【００１８】
図１から図９に示すように、この装置の外部構造１０１の力受け構造１０４に圧力を加えること及び対応する外部構造が場合に応じて下記の選択をすることができる。
１．この項のキャップの開ける予備力を持つ被せプレス開け型保存装置は、特定容器２００の口部２０１に詰め込むことができ、外部構造内部に粒状、粉状、液状、泥状又は糊状の内容物１０７を充填して、人の手、外力、機械構造の機械力、気圧力又は液圧力によって力受け構造１０４に圧力を加えるとき、力受け構造１０４が加圧されて変形するときに生まれた内部圧力でキャップ１０２を開ける。キャップ１０２はキャップ１０２と外部構造１０１とを維持するたわみ性シール構造１０３の予備力により開き、圧力が消えてから、キャップ１０２は特定容器２００の外部構造１０１内部の内容物１０７を釈放し、たわみ性シール構造１０３の予備力でキャップ１０２は開いた状態に維持され落ちないようになる。この応用のとき、外部構造１０１の外部直径は特定容器２００の口部２０１に入れることができる。適当な公差をもって、外部構造１０１の周りに突き出しの環状ストッパー（ＤＯＧ）又は直径方向へ突き出しているブロック状ストッパー（ＤＯＧ）１０９が設けられ、外部構造１０１に入れる特定容器２００の口部２０１の深さを制限し、圧力を受けるときの制限構造を構成する。特定容器２００は、内容物を入れていないものであっても、又は、特定内容物を入れてあるものであってもよい。
【００１９】
２．この項のキャップを開ける予備力を持つ被せプレス開け型保存装置は、特定容器２００の口部２０１に詰め込むことができ、外部構造内部に粒状、粉状、液状、泥状又は糊状の内容物１０７を充填して、力受け構造１０４が推進構造１０６によって構成されて、外部構造１０１より柔らかいたわみ性材料で作られて外部構造１０１の上に繋がる。力受け構造１０４が外部構造１０１内部のキャップ１０２向き方向に繋がる延伸推進構造１０６をもち、人の手、外力、機械構造の機械力、気圧力又は液圧力によって力受け構造１０４に圧力を加えるとき、推進構造１０６がキャップ１０２へ押されて、タッチして外部構造１０１の釈放口１０５に繋がっているキャップ１０２を押す。キャップ１０２はキャップ１０２と外部構造１０１とを繋げるたわみ性シール状構造１０３の予備力によって開けられて、そして、圧力が消えるときに、キャップ１０２を安定した開いた状態に維持でき、特定容器２００の外部構造１０１内部の内容物１０７を釈放することに提供されて、たわみ性シール状構造１０３の予備力によってキャップ１０２を開いた状態に維持して落ちないようにする。この応用のときにおいて、外部構造１０１の外部直径が特定容器２００の口部２０１に入れることに提供されることができて、適当な公差をもって、外部構造１０１の周りに突き出しの環状ストッパー（ＤＯＧ）又は直径方向へ突き出しているブロック状ストッパー（ＤＯＧ）１０９が設けられ、外部構造１０１へ入れる特定容器２００の口部２０１の深さを制限して、そして、圧力を受けるときの制限構造を構成するものである。特定容器２００は、内容物を入れていないものであり、又は、特定内容物を入れてあるものでも可である。
【００２０】
３．この項のキャップを開ける予備力を持つ被せプレス開け型保存装置は、特定容器２００の口部２０１に詰め込むことができ、外部構造内部に粒状、粉状、液状、泥状又は糊状の内容物１０７を充填する。特定容器２００の口部２０１に瓶のキャップ１１０が設けてあり、それが内螺旋１１１をもって特定容器２００の口部２０１外側の外螺旋２０２と回し合うことができ、外部構造内部が液状又は泥状内容物を充填されて回し合って力受け構造１０４に対して緊迫する。上記の力受け構造１０４が圧力を受けて変形するときに産生した内部圧力でキャップ１０２を開ける。キャップ１０２はキャップ１０２と外部構造１０１とを維持するたわみ性シール構造１０３の予備力により開けられ、圧力が消えてから、キャップ１０２は特定容器２００の外部構造１０１内部の内容物１０７を釈放し、たわみ性シール構造１０３の予備力によりキャップ１０２を開いた状態に維持して落ちないようにする。特定容器２００は、内容物を入れていないものでも、又は、特定内容物を入れてあるものでもよい。このとき、外部構造の周りに突き出しの環状ストッパー（ＤＯＧ）又は直径方向へ突き出しているブロック状ストッパー（ＤＯＧ）１０９が設けられ、ストッパー（ＤＯＧ）の外部直径は特定容器２００の口部２０１の内部直径よりやや大きく、瓶のキャップ１１０の内部直径よりやや小さく、外部構造１０１へ入れる特定容器２００の口部２０１の深さを制限し、かつ、圧力を受けるときの制限構造を構成する。外部構造１０１の上端の力受け構造１０４の外部直径は瓶のキャップ１１０の内部直径よりやや小さく、瓶のキャップ１１０が特定容器２００の口部２０１へ回し込まれて緊迫する。
【００２１】
４．キャップを開ける予備力を持つ被せプレス開け型保存装置は、特定容器２００の口部２０１に詰め込むことができ、外部構造内部に粒状、粉状、液状、泥状又は糊状の内容物１０７を充填する。特定容器２００の口部２０１に瓶のキャップ１１０が設けてあり、それが内螺旋１１１をもって特定容器２００の口部２０１外側の外螺旋２０２と回し合うことができる。力受け構造１０４は推進構造１０６によって構成され、外部構造１０１より柔らかいたわみ性材料で作られて外部構造１０１の上に繋がる。力受け構造１０４は外部構造１０１内部のキャップ１０２向き方向に繋がり、延伸推進構造１０６をもって、回し合うときに、力受け構造１０４に対して緊迫させ、延伸推進構造１０６がキャップ１０２へ押されて、タッチして外部構造１０１の釈放口１０５に繋がるキャップ１０２を押す。キャップ１０２はキャップ１０２と外部構造１０１とを維持するたわみ性シール構造１０３の予備力により開き、圧力が消えてから、キャップ１０２は特定容器２００の外部構造１０１内部の内容物１０７を釈放し、たわみ性シール構造１０３の予備力によりキャップ１０２を開いた状態に維持して落ちないようにする。特定容器２００は、内容物を入れていないものであっても、又は、特定内容物を入れてあるものであってでもよい。このとき、外部構造の周りに突き出しの環状ストッパー（ＤＯＧ）又は直径方向へ突き出しているブロック状ストッパー（ＤＯＧ）１０９が設けられ、ストッパー（ＤＯＧ）の外部直径が特定容器２００の口部２０１の内部直径よりやや大きく、瓶のキャップ１１０の内部直径よりやや小さく、外部構造１０１へ入れる特定容器２００の口部２０１の深さを制限して、そして、圧力を受けるときの制限構造を構成する。外部構造１０１の上端の力受け構造１０４の外部直径は瓶のキャップ１１０の内部直径よりやや小さく、瓶のキャップ１１０が特定容器２００の口部２０１へ回し込まれて緊迫する。
【００２２】
５．キャップを開ける予備力を持つ被せプレス開け型保存装置は、特定容器２００の口部２０１を詰め込むことに提供されて、特定容器２００の口部２０１には瓶のキャップ１１０をもって、その内部直径が特定容器２００の口部２０１の外部直径と緊密に結合できる。外部構造内部には粒状、粉状、液状、泥状又は糊状の内容物１０７を充填し、緊密に結合するときに、力受け構造１０４に対して圧力を加えると、上記の力受け構造１０４が変形して産生した内部圧力でキャップ１０２を開ける。キャップ１０２はキャップ１０２と外部構造１０１とを維持するたわみ性シール構造１０３の予備力により開き、圧力が消えてから、キャップ１０２は特定容器２００の外部構造１０１内部の内容物１０７を釈放し、たわみ性シール構造１０３の予備力によりキャップ１０２は開いた状態に維持して落ちないようにする。特定容器２００は、内容物を入れていないものであっても、又は、特定内容物を入れてあるものであってもよい。このとき、外部構造の周りに突き出しの環状ストッパー（ＤＯＧ）又は直径方向へ突き出しているブロック状ストッパー（ＤＯＧ）１０９が設けられて、ストッパー（ＤＯＧ）の外部直径が特定容器２００の口部２０１の内部直径よりやや大きく、瓶のキャップ１１０の内部直径よりやや小さく、外部構造１０１へ入れる特定容器２００の口部２０１の深さを制限して、そして、圧力を受けるときの制限構造を構成するものである。外部構造１０１の上端の力受け構造１０４の外部直径は瓶のキャップ１１０の内部直径よりやや小さく、瓶のキャップ１１０が特定容器２００の口部２０１へ回し込まれ、緊迫する。
【００２３】
６．キャップを開ける予備力を持つ被せプレス開け型保存装置は、特定容器２００の口部２０１を詰め込むことに提供される。特定容器２００の口部２０１には瓶のキャップ１１０をもって、その内部直径と特定容器２００の口部２０１の外部直径とが緊密に結合できる。外部構造内部には粒状、粉状、液状、泥状又は糊状の内容物１０７を充填する。力受け構造１０４が推進構造１０６によって構成されて、外部構造１０１より柔らかいたわみ性材料で作られて外部構造１０１の上に繋がる。力受け構造１０４が外部構造１０１内部のキャップ１０２向き方向に繋がり、延伸推進構造１０６をもって、緊密に結合するときに、力受け構造１０４に対して緊迫し、延伸推進構造１０６がキャップ１０２へ押されて、タッチして外部構造１０１の釈放口１０５に繋がるキャップ１０２を押す。キャップ１０２はキャップ１０２と外部構造１０１とを維持するたわみ性シール構造１０３の予備力により開き、圧力が消えてから、キャップ１０２は特定容器２００の外部構造１０１内部の内容物１０７を釈放し、たわみ性シール構造１０３の予備力によりキャップ１０２を開いた状態に維持して落ちないようにする。特定容器２００は、内容物を入れていないものであっても、又は、特定内容物を入れてあるってもよい。このとき、外部構造の周りに突き出しの環状ストッパー（ＤＯＧ）又は直径方向へ突き出しているブロック状ストッパー（ＤＯＧ）１０９が設けられて、ストッパー（ＤＯＧ）の外部直径は特定容器２００の口部２０１の内部直径よりやや大きく、瓶のキャップ１１０の内部直径よりやや小さく、外部構造１０１へ入れる特定容器２００の口部２０１の深さを制限して、そして、圧力を受けるときの制限構造を構成する。外部構造１０１の上端の力受け構造１０４の外部直径は瓶のキャップ１１０の内部直径よりやや小さく、瓶のキャップ１１０が特定容器２００の口部２０１へ回し込まれ、緊迫する。
【００２４】
本実施形態は、一歩進んで、一種のキャップであり、開ける予備力を持つ被せプレス開け型保存装置であり、粒状、ゲル粉状、ゲル状態、液状又は可溶性凝固状態の内容物が入る円筒形、円筒形近似又は多面円筒形の中空容器である。円筒形の外部構造の周辺は特定容器の口部に詰め込むことに提供され、外部構造の周辺の突き出しが容器の口部の周りに被せることに提供される。中空容器の外部構造の内容物の釈放口の位置は円筒型の中空容器の外部構造の軸方向の一端に設置されて、キャップが内容物の釈放口と繋がるように提供されて、人の手でキャップを開けることに提供される。特定容器の口部に入れるときに、直接に内容物を特定容器に注ぎ込むことに提供されて、或いは、特定容器内部の液体又は気体によって中空容器内部の可溶性の凝固状態の内容物を溶かす。開いた状態のキャップと外部とは離れないために、キャップと保存装置との間にたわみ性シール構造がある。キャップと外部とが相対的に安定関係を持つことは、キャップが保存装置に対して封鎖状態にあるときに、両者を維持するシール構造が曲げられ、開く方向への予備状態になり、キャップが圧されて開いた後、キャップを開いた安定状態にさせることができる。中空容器の外部構造内部の内容物の釈放を妨害しないように、キャップを開けてから、外部構造と離れないように、釈放物を混ぜないようにし、回収にも有利である。
【００２５】
図１０に示すのは、本実施形態におけるキャップであり、開く予備力を持ち、力受け構造を設けない保存装置の断面図である。
図１０に示す主な構成は、下記の通りである。
外部構造１０１は、プラスチック或いは金属で作られた円筒形、円筒形近似又は多面円筒形の中空容器である。粒状、粉状、ゲル状態、液状又は可溶性凝固状態の内容物１０７が入るためである。中空容器の外部構造１０１の周辺は特定の容器２００の口部２０１へ詰め込むことに設計されて、外部構造１０１の周辺は突き出し部分をもって口部の周りに被せて、中空容器の外部構造１０１軸方向の一側には釈放口１０５があって、釈放口１０５とキャップ１０２とが繋がるときに閉鎖状態になる。キャップ１０２が開くと、内容物１０７が釈放される。中空容器の外部構造はたわみ性シール構造１０３と繋がることにより、キャップ１０２を開いた状態に維持し、釈放口１０５と繋がるときに開く方向に予備力状態になる。
【００２６】
上記の外部構造１０１には力受け構造１０４を設けず、釈放口１０５がキャップ１０２を設置するためにあり、人の手でキャップ１０２を開けるものである。
キャップ１０２は、キャップ構造になり、外部構造１０１下の釈放口１０５と対応するために設置され、両者は結合する閉鎖状態になる。手でキャップを開け、力受け面に圧力を加え、内容物を釈放する。或いは、直接に内容物を出させるものであり、或いは、特定容器内部の液体又は気体によって、中空容器の外部構造の内部の可溶性の凝固状態の内容物を溶かす。キャップ１０２と外部構造１０１との閉鎖結合方式は、（１）詰め込んで入ること、（２）嵌めること、（３）かぶせること、（４）くっつくこと、（５）融合することなどがある。又は付属部品により挟むことで閉鎖結合する。
【００２７】
上記のようにキャップ１０２と外部構造１０１との釈放口１０５が閉鎖結合する定義については、全閉鎖状態又は半閉鎖状態を含み、外部構造１０１に充填する内容物の性質か保存の必要によるものである。
たわみ性シール構造１０３は、たわみ性を持つもので構成するシール状たわみ維持構造であり、外部構造１０１とキャップ１０２との間に連結する。その維持状態は、キャップ１０２が外部構造１０１下の釈放口１０５に結合することにより、容器の外部構造１０１が閉鎖状態になるとき、たわみ性シール構造１０３が曲がる状態になって外へ開くという予備力状態になる。キャップ１０２が外部構造１０１から離れるとき、たわみ性シール構造１０３のたわみ性予備力がキャップ１０２を開けることに協力し、外部構造１０１下の釈放口１０５が開いた安定状態になることにより、内容物１０７の釈放に有利になり、キャップ１０２をたわみ性シール構造１０３により外部構造１０１に維持して落ちないようにする。
【００２８】
図１０に示すのは、本実施形態の保存装置の断面図であり、外部構造１０１とキャップ１０２とたわみ性シール構造１０３との構造上の関係は、下記の通りである。
（１）たわみ性シール構造１０３とキャップ１０２と外部構造１０１とは、同じ材料を使って一体になるものである。
（２）又は、キャップ１０２とたわみ性シール構造１０３とは、同じ材料を使って一体になるものである。また、同じ材料で構成された外部構造１０１と結合させるものである。
【００２９】
（３）又は、キャップ１０２とたわみ性シール構造１０３とは、同じ材料を使って一体になるものである。また、異なる材料で構成された外部構造１０１と結合させるものである。
（４）又は、外部構造１０１とたわみ性シール構造１０３とは、同じ材料を使って一体になるものである。また、同じ材料で構成されたキャップ１０２と結合させるものである。
（５）又は、外部構造１０１とたわみ性シール構造１０３とは、同じ材料を使って一体になるものである。また、異なる材料で構成されたキャップ１０２と結合させるものである。
【００３０】
（６）又は、外部構造１０１とキャップ１０２とたわみ性シール構造１０３とは、同じ材料を使い、それぞれに作られてから結合するものである。
（７）又は、外部構造１０１とキャップ１０２とたわみ性シール構造１０３とは、異なる材料を使い、それぞれに作られてから結合するものである。
外部構造１０１とキャップ１０２との結合する方式及びキャップ１０２とたわみ性シール構造１０３との結合する方式は、融合すること、くっつくこと、リベットで締めること、機関属性の嵌めること、かぶせること、付属部品で合わせること又は縫い合わせることにより結合する方式を含む。
【００３１】
以上により、本実施形態は、一種のキャップであり、開ける予備力を持つ被せプレス開け型保存装置であり、製作するときに、外部構造１０１の周辺は特定の容器の口部に詰め込むことに提供されて、外部構造の周辺の突き出しが容器の口部の周りに被せることに提供される。外部構造１０１の軸方向の下に釈放口１０５が設けてあり、釈放口１０５とキャップ１０２とが繋がって閉鎖状態になって、キャップ１０２が開くときに、内容物１０７を釈放する。キャップ１０２と保存装置との一端に維持用のたわみ性シール構造１０３が設けてあり、その相対安定関係はキャップ１０２が保存装置の釈放口１０５に対して閉鎖するときに、維持用のたわみ性シール構造１０３が曲げられ、開く方向の予備力状態になり、キャップ１０２が圧力を受けて開いてから、たわみ性シール構造１０３が予備力を釈放でき、キャップ１０２を安定的な開いた状態に維持する。
【図面の簡単な説明】
【００３２】
【図１】本発明の一実施形態によるキャップを示す断面図である。
【図２】本発明の一実施形態によるキャップの力受け構造の外部構造より柔らかいたわみ性材料で構成された状態を示す断面図である。
【図３】本発明の一実施形態によるキャップの力受け構造の圧力を受けて外部構造の内容物を釈放する状態を示す断面図である。
【図４】本発明の一実施形態によるキャップの力受け構造の推進構造を示す断面図である。
【図５】本発明の一実施形態によるキャップの力受け構造の圧力を受けて内容物を釈放する状態を示す断面図である。
【図６】本発明の一実施形態によるキャップの力受け構造のピストン式構造で構成された状態を示す断面図である。
【図７】本発明の一実施形態によるキャップの力受け構造の圧力を受けて内容物を釈放する状態を示す断面図である。
【図８】本発明の一実施形態によるキャップの力受け構造の推進構造を示す断面図である。
【図９】本発明の一実施形態によるキャップの力受け構造の圧力を受けて内容物を釈放する状態を示す断面図である。
【図１０】本発明の一実施形態によるキャップの力受け構造を設けない保存装置を示す断面図である。
【符号の説明】
【００３３】
１０１：外部構造、１０２：キャップ、１０３：たわみ性シール状構造、１０４：力受け構造、１０５：釈放口、１０６：推進構造、１０７：内容物、１０８：ピストン構造、１０９：ブロック状ストッパー（ＤＯＧ）、１１０：瓶のキャップ、１１１：内螺旋、２００：特定容器、２０１：口部、２０２：外螺旋
【図１】
0005558682.tif 000002
【図２】
0005558682.tif 000003
【図３】
0005558682.tif 000004
【図４】
0005558682.tif 000005
【図５】
0005558682.tif 000006
【図６】
0005558682.tif 000007
【図７】
0005558682.tif 000008
【図８】
0005558682.tif 000009
【図９】
0005558682.tif 000010
【図１０】
0005558682.tif 000011